(57)【要約】【課題】マンションなどの共有スペースに設置し、特定多数の利用者による共用に適した給電装置を提供する。【解決手段】ステップＳ１で、利用者が提示するＩＣカードに基づき認証処理を行い、ステップＳ２で、正規の利用者ＩＤであることが確認できた場合、ステップＳ３で、給電制限を解除し、ステップＳ４で、電気自動車２への電力供給を開始する。この給電の間、ステップＳ５で供給した電力量（給電量）、電流値などを測定する。そして、ステップＳ６で、充電完了と判定された場合、ステップＳ７に進み、給電日時および給電量を含む利用情報が利用者ＩＤとともに暗号化されて管理装置に送信させる。本発明は、例えば、マンションなどの共有スペースに設置される電気自動車などに対する充電システムに適用することができる。【選択図】図５
2010213497.tif 000002
【特許請求の範囲】
【請求項１】
バッテリに対する充電機能を有する所定の電気装置に対して給電を行う給電装置において、
利用者を識別するための利用者識別情報を取得する第１の取得手段と、
取得された前記利用者識別情報を認証手段に送信する通信手段と、
前記所定の電気装置に対して電力を供給する供給手段と、
前記所定の電気装置に対する給電を制限する制限手段と、
前記認証手段による認証結果に基づき、前記制限手段による給電制限を解除する解除手段と、
前記所定の電気装置に対する給電量を含む利用情報を生成する生成手段と
を含むことを特徴とする給電装置。
【請求項２】
取得された前記利用者識別情報を予め登録されている利用者データベースに照会することにより認証処理を行う前記認証手段を
さらに含むことを特徴とする請求項１に記載の給電装置。
【請求項３】
前記通信手段は、生成された前記利用者情報を暗号化して管理装置に送信する
ことを特徴とする請求項１に記載の給電装置。
【請求項４】
前記制限手段は、前記供給手段の内部に設けられた給電遮断用のリレーである
ことを特徴とする請求項１に記載の給電装置。
【請求項５】
前記制限手段は、前記給電装置と所定の電気装置を接続するための給電ケーブルが前記給電装置に接続されることを物理的に制限する遮蔽物である
ことを特徴とする請求項１に記載の給電装置。
【請求項６】
前記利用者または前記所定の電気装置の少なくとも一方を撮像し、撮像結果としての画像データを生成する撮像手段をさらに含み、
前記認証手段は、前記利用者識別情報および前記画像データに基づいて前記認証処理を行う
ことを特徴とする請求項１または２に記載の給電装置。
【請求項７】
前記取得手段は、ＩＣカードまたは住戸の鍵に記録されている前記利用者識別情報を取得する
ことを特徴とする請求項１に記載の給電装置。
【請求項８】
給電中の前記所定の電気装置から、前記所定の電気装置を識別するための装置識別情報を取得する第２の取得手段を
さらに含み、
前記通信手段は、取得された前記装置識別情報も前記管理装置に送信する
ことを特徴とする請求項１に記載の給電装置。
【請求項９】
前記所定の電気装置は、電気自動車である
ことを特徴とする請求項１に記載の給電装置。
【請求項１０】
バッテリに対する充電機能を有する所定の電気装置に対して給電を行う供給手段と、
前記所定の電気装置に対する給電を制限する制限手段とを備える給電装置の給電方法において、
利用者を識別するための利用者識別情報を取得する取得ステップと、
取得された前記利用者識別情報を認証手段に送信する通信ステップと、
前記認証手段による認証結果に基づき、前記制限手段による給電制限を解除する解除ステップと、
前記所定の電気装置に対する給電量を含む利用情報を生成する生成ステップと
を含むことを特徴とする給電方法。
【発明の詳細な説明】
【技術分野】
【０００１】
本発明は、給電装置、および給電方法に関し、特に、例えば、マンションのような集合住宅に付随して、電気自動車に対して充電可能な給電装置をその居住者たちが共用する場合に用いて好適な給電装置、および給電方法に関する。
【背景技術】
【０００２】
現在、エンジンとモータを備えたハイブリッド自動車が販売されており、今後は電気自動車の普及も見込まれている。電気自動車に対する充電は、普及の初期段階においては例えば現状のＧＳ(Gas Station)などに専用の給電装置を設けて行うことが想定されている。その後、より普及が進むと充電可能な場所（施設）は増加し、例えば家庭用商用電源のコンセントからも充電が行えるようになることが想定される。
【０００３】
このように、電気自動車に対しさまざまな場所において充電可能になると、その利用者に対して適切に課金できる方法を確立する必要が生じる。
【０００４】
例えば、特許文献１には、給電装置に接続し、利用者を特定するための識別情報を通知した後に給電を受けることができるモバイルコンセントなどの発明が記載されている。当該発明によれば、課金すべき利用者を特定して課金することができる。
【先行技術文献】
【特許文献】
【０００５】
【特許文献１】特開２００２−３２５３５７号公報
【発明の概要】
【発明が解決しようとする課題】
【０００６】
しかしながら、特許文献１の発明の場合、利用者の全てがそれぞれ自分専用のモバイルコンセントを利用する必要があるなど、本願発明が想定する以下の利用環境に最適であるとはいえない。
【０００７】
すなわち、本願発明では、例えば、マンションなどに付随して設けられている共有スペースとしての駐車場に、電気自動車に対して充電可能な給電装置を設けて、マンションなどの居住者がこれを共用するような利用環境を想定している。
【０００８】
上述したように、マンションなどの共有スペースに共用の給電装置を設けた場合、設置場所特有の以下に列挙するような要求を満たす必要がある。例えば、
共用の給電装置をマンションの居住者以外の人に無断で使用させたくない（居住者または居住者が認めた来客に対してだけ使用させたい）。
共用の給電装置を利用した居住者に対してだけ、その利用の程度の応じて公平に費用（電気代、メンテナンス代など）を負担させたい。
共用の給電装置が電気自動車の様々な車種に対応できるようにしたい（電気自動車側に特別な構成を要求しない）。
居住者が共用の給電装置を利用した情報を、マンションに既存の管理システムや防犯システムと共有したい。
【０００９】
本発明はこのような状況に鑑みてなされたものであり、マンションなどの共有スペースに設置し、特定多数の利用者による共用に適した給電装置を提供できるようにするものである。
【課題を解決するための手段】
【００１０】
本発明の一側面である給電装置は、バッテリに対する充電機能を有する所定の電気装置に対して給電を行う給電装置において、利用者を識別するための利用者識別情報を取得する第１の取得手段と、取得された利用者識別情報を認証手段に送信する通信手段と、所定の電気装置に対して電力を供給する供給手段と、所定の電気装置に対する給電を制限する制限手段と、認証手段による認証結果に基づき、制限手段による給電制限を解除する解除手段と、所定の電気装置に対する給電量を含む利用情報を生成する生成手段とを含む。
【００１１】
本発明の一側面である給電装置においては、利用者を識別するための利用者識別情報が取得され、取得された利用者識別情報が認証手段に送信され、認証手段による認証結果に基づき、制限手段による給電制限が解除され、さらに、所定の電気装置に対する給電量を含む利用情報が生成される。
【００１２】
したがって、予め登録されている利用者に対してだけ給電装置を共用させることができる。また、生成された利用情報に基づいて、利用者に対して公平に課金することができる。
【００１３】
なお、認証手段は、給電装置の外部に設けてもよいし、給電装置の内部に設けてもよい。
【００１４】
通信手段は、生成された利用者情報を暗号化して管理装置に送信するようにすすることができる。この通信手段は、有線通信であっても無線通信であってもよい。より具体的には、例えば、有線LAN(Local Area Network)、無線LAN、Bluetooth、PLC(Power Line Communication)、電話回線、携帯電話回線などを用いることができる。
【００１５】
制限手段は、供給手段の内部に設けられた給電遮断用のリレーとすることができる。これにより、電力の出力を停止することができる。
【００１６】
また、制限手段は、給電装置と所定の電気装置を接続するための給電ケーブルが給電装置に接続されることを物理的に制限する遮蔽物とすることができる。これにより、給電ケーブルの不正な接続を防止したり、接続されている給電ケーブルが抜き取られたり差し替えられたりすることを防止することができる。
【００１７】
また、給電装置は、利用者または所定の電気装置の少なくとも一方を撮像し、撮像結果としての画像データを生成する撮像手段をさらに含むことができ、認証手段は、利用者識別情報および画像データに基づいて認証処理を行うようにすることができる。これにより、例えば、利用者識別情報を用いた認証が所定回数を超えた利用者に対しては、顔認証だけで給電装置の利用を許可するようにすることができる。
【００１８】
取得手段は、ＩＣカードまたは住戸の鍵に記録されている利用者識別情報を取得するようにすることができる。住戸の鍵に利用者識別情報を記録しておくようにした場合、利用者は、給電装置用のＩＣカードを携帯する必要がなく、通常携帯している住戸の鍵を給電時に用いることができる。
【００１９】
また給電装置は、給電中の所定の電気装置から、所定の電気装置を識別するための装置識別情報を取得する第２の取得手段をさらに含み、通信手段は、取得された装置識別情報も管理装置に送信するようにすることができる。これにより、所定の電気装置毎の利用情報を個別に管理することができる。
【００２０】
所定の電気装置は、電気自動車とすることができる。
【００２１】
本発明の一側面である給電方法は、バッテリに対する充電機能を有する所定の電気装置に対して給電を行う供給手段と、所定の電気装置に対する給電を制限する制限手段とを備える給電装置の給電方法において、利用者を識別するための利用者識別情報を取得する取得ステップと、取得された利用者識別情報を認証手段に送信する通信ステップと、認証手段による認証結果に基づき、制限手段による給電制限を解除する解除ステップと、所定の電気装置に対する給電量を含む利用情報を生成する生成ステップとを含む。
【００２２】
本発明の一側面である給電方法においては、利用者を識別するための利用者識別情報が取得され、取得された利用者識別情報が認証手段に送信され、認証手段による認証結果に基づき、制限手段による給電制限が解除される。さらに、所定の電気装置に対する給電量を含む利用情報が生成される。
【００２３】
したがって、予め登録されている利用者に対してだけ給電装置を共用させることができる。また、生成された利用情報に基づいて、利用者に対して公平に課金することができる。
【発明の効果】
【００２４】
本発明の一側面によれば、マンションなどの共有スペースに設置し、特定多数の利用者による共用に適した給電装置を提供することができる。
【図面の簡単な説明】
【００２５】
【図１】本発明を適用した自動車充電システムの構成例を示す図である。
【図２】本発明を適用した給電装置の詳細な構成例を示すブロック図である。
【図３】図１の管理装置の詳細な構成例を示すブロック図である。
【図４】電気自動車に設けられる充電装置の構成例を示すブロック図である。
【図５】給電処理を説明するフローチャートである。
【発明を実施するための形態】
【００２６】
以下、本発明の実施の形態について説明する。
【００２７】
図１は、本発明を適用した自動車充電システムの構成例を示している。この自動車充電システム１は、例えば、マンションの駐車場や共有スペースなどに設置され、マンション居住者の電気自動車２に対してバッテリ充電用の電力を供給するものである。
【００２８】
この自動車充電システム１は、複数の給電スペースＰを有し、各給電スペースＰにそれぞれ対応して設けられており電気自動車２に対して電力を供給する給電装置１０、および各利用者の利用情報を管理する管理装置２０から構成される。同図の場合、給電スペースＰと給電装置１０の数は、それぞれ３とされているが、当然ながらこの数は任意である。
【００２９】
なお各給電スペースＰおよび給電装置１０は、例えば、地下駐車場に併設してもよいし、立体駐車場内に設けてもよい。
【００３０】
給電装置１０−１は、マンションの居住者である利用者（通常、給電スペースＰ１に駐車された電気自動車２の運転者）の利用者ＩＤを取得して認証を終えた後、商用電源から取得した電力を、給電ケーブル３１を介して電気自動車２に供給する。さらに、給電装置１０−１は、利用日時、供給した電力量などを含む利用情報を管理装置２０に送信する。なお、利用者ＩＤや利用者情報などの管理装置１０への送信時には、漏洩、改ざんなどを抑止するために暗号化することが望ましい。
【００３１】
給電装置１０−２および１０−３については、給電装置１０−１と同様であるので、その説明は省略する。以下、給電装置１０−１乃至１０−３を個々に区別する必要がない場合、単に給電装置１０と称する。
【００３２】
管理装置２０は、例えば、マンションの管理室などに設けられ、給電装置１０から送信される利用者ＩＤを、予め保持する居住者データベース２３（図３）に照会することにより、利用者が正規の利用者（当該マンションの居住者）であるか否かを判定し、判定結果を給電装置１０に返信する。さらに、管理装置２０は、給電装置１０から送信される利用者の利用情報を、居住者の利用者ＩＤに対応付けて居住者データベース２３に登録する。ここで登録された利用情報は、利用者に対する課金額の算定に利用される。
【００３３】
なお給電装置１０と管理装置２０との接続は、有線または無線のどちらでもよく、例えば、有線LAN(Local Area Network)、無線LAN、Bluetooth、PLC(Power Line Communication)、電話回線、携帯電話回線などを用いてもよい。
【００３４】
電気自動車２は、給電装置１０から給電ケーブル３１を介して供給される電力を、内蔵するバッテリに充電する充電装置４０（図３）が内蔵されているものとする。
【００３５】
次に、図２は、本発明の一実施の形態である給電装置１０の詳細な構成例を示している。
【００３６】
給電装置１０は、制御部１１、ＵＩ部１２、ＩＣカード読み取り部１３、撮像部１４、通信部１５、電力供給部１６、給電プラグコネクタ１７、コネクタ遮蔽部１８、および車体情報取得部１９から構成される。
【００３７】
制御部１１は、図示せぬメモリに記憶された制御用プログラムを実行することにより給電装置１０の全体を制御する。また、制御部１１は、電力供給部１６から通知される給電量に基づき、給電日時および給電量を含む利用情報を生成し、利用者ＩＤとともに通信部１５に出力する。
【００３８】
ＵＩ（User Interface）部１２は、利用者からの操作入力を受け付けるとともに、利用者に対して各種の情報を提示する。
【００３９】
ＩＣカード読み取り部１３は、電気自動車２に対する給電を要求する利用者が提示するＩＣカードから、当該利用者を識別するための利用者ＩＤを読み出して通信部１５に出力する。
【００４０】
ここで、利用者が提示するＩＣカードは、各住戸の鍵などと同様、予めマンションの居住者に対して付与されているものとする。
【００４１】
また、各住戸に対して１枚のＩＣカードを付与するのではなく、例えば複数の電気自動車を保有する家族に対し、同一の利用者ＩＤが記録された複数のＩＣカードを付与するようにしてもよい。
【００４２】
なお、利用者ＩＤを記憶させたメモリチップを住戸の鍵や携帯電話などに内蔵するようにし、ＩＣカードの代わりに利用できるようにしてもよい。また、例えば、住戸の鍵の形状を利用者ＩＤに対応して加工するようにしてもよい。このように、住戸の鍵に、給電用のＩＣカードとしての機能を付加することにより、居住者の利便性を向上させることができる。
【００４３】
なお、ＩＣカード読み取り部１３がＩＣカードや住戸の鍵から利用者ＩＤを読み出す方法は任意である。接触式であっても非接触式であってもよい。例えば、非接触ＩＣカードシステムを採用したり、あるいは、鍵穴のような形状をしていてもよい。
【００４４】
撮像部１４は、ＩＣカードの利用者ＩＤに加えて利用者の認証に用いる情報として、利用者の顔、給電スペースＰに駐車された電気自動車２のナンバプレートなどを撮像し、その結果得られる画像データを通信部１５に出力する。
【００４５】
通信部１５は、利用者の認証を管理装置２０に実行させるため、ＩＣカード読み取り部１３で読み出された利用者ＩＤを暗号化し、認証要求とともに管理装置２０に送信する。また、通信部１５は、利用者の認証を管理装置２０に実行させるための補助情報、あるいは、給電先の電気自動車２を識別するための情報として、撮像部１４で撮像される画像データや車体情報取得部１９で取得される車体ＩＤを暗号化して管理装置２０に送信する。さらに、通信部１５は、管理装置２０から返信される認証結果を制御部１１に出力する。
【００４６】
またさらに、通信部１５は、制御部１１から入力される利用情報および利用者ＩＤを暗号化して管理装置２０に送信する。このように、利用情報を給電装置１０の内部に保持することなく、管理装置２０に暗号化して送信してしまうので、仮に給電装置１０が破壊されたり、何らかの不正な操作が行われても、利用情報が不正に読み出されたり、改ざんされたりすることを抑止することができる。
【００４７】
電力供給部１６は、給電を遮断するためのリレーを内蔵しており、制御部１１からの給電開始の指示に従い、図示せぬ商用電源から取得した電力を、給電プラグコネクタ１７に接続される給電ケーブル３１を介して電気自動車２に供給する。また、電力供給部１６は、供給した電力量を測定し、測定結果（給電量）を制御部１１に通知する。
【００４８】
給電プラグコネクタ１７は、挿着される給電ケーブル３１のプラグ３２を保持し、電力供給部１６からの電力を、給電ケーブル３１に出力する。また、給電プラグコネクタ１７は、給電ケーブル３１を介して伝送された情報を車体情報取得部１９に出力する。
【００４９】
コネクタ遮蔽部１８は、給電プラグコネクタ１７を覆う蓋を有しており、制御部１１から制御に従って当該蓋を開放、または閉鎖することにより、給電プラグコネクタ１７に対する給電ケーブル３１のプラグ３２の着脱を制限する。例えば、給電プラグコネクタ１７に給電ケーブル３１のプラグ３２が挿着されていない状態において当該蓋を閉鎖すれば、給電プラグコネクタ１７に給電ケーブル３１のプラグ３２が不正に挿着されることを抑止することができる。また、給電プラグコネクタ１７に給電ケーブル３１のプラグ３２が挿着されている状態において当該蓋を閉鎖すれば、給電プラグコネクタ１７から給電ケーブル３１のプラグ３２が不正に取り外されることを抑止することができる。
【００５０】
車体情報取得部１９は、給電プラグコネクタ１７から入力される電気自動車２からの情報より車体ＩＤを抽出して通信部１５に出力する。また、車体情報取得部１９は、当該情報より充電完了を示す通知を取得して制御部１１に出力する。
【００５１】
次に、図３は、管理装置２０の詳細な構成例を示している。この管理装置２０は、通信部２１、認証部２２、および居住者データベース(DB)２３から構成される。
【００５２】
通信部２１は、給電装置１０からの認証要求に応じ、送信された利用者ＩＤを認証部２２に出力する。また、通信部２１は、認証部２２から入力される認証結果を給電装置１０に送信する。さらに、通信部２１は、給電装置１０から送信される、利用者の顔の画像データ、充電した電気自動車２のナンバプレートの画像データおよび車体ＩＤなどを居住者データベース２３に出力する。
【００５３】
認証部２２は、給電装置１０から送信された利用者ＩＤを居住者データベース２３に照会することにより、当該利用者ＩＤが正規のものであるか否かを判定し、この判定結果（認証結果）を通信部２１に出力する。
【００５４】
居住者データベース２３には、当該マンションの居住者の情報が記録されている。具体的には、少なくとも、各住戸の部屋番号に対応付けて、給電装置１０の利用するための付与済みの利用者ＩＤが記録されている。さらに、居住者データベース２３には、利用者ＩＤに対応付けて、給電装置１０の利用情報、利用者の顔の画像データ、充電した電気自動車２のナンバプレートの画像データおよび車体ＩＤなどが記録される。
【００５５】
居住者データベース２３に記録された給電装置１０の利用情報は、定期的に例えばマンションの管理会社などに提供されて、給電装置１０に利用に対する課金の算出に利用される。算出されたか金額は、例えば、各住戸の管理費などとともに予め指定されている決済方法（金融機関の口座から引き落とし、クレジットカード払いなど）により決済される。
【００５６】
なお、管理装置２０に設けられている認証部２２を給電装置１０に設け、認証処理に際して給電装置１０から管理装置２０の居住者データベース２３に照会するようにしてもよい。
【００５７】
次に、図４は、電気自動車２に内蔵される充電装置４０の構成例を示している。充電装置４０は、ケーブル接続部４１、電力取得部４２、充電制御部４３、バッテリ管理部４４、バッテリ４５、通信部４６、車体ＩＤ保持部４７から構成される。
【００５８】
ケーブル接続部４１は、その一端にプラグ３２を備えて給電装置１０に接続される給電ケーブル３１の他端が接続される。電力取得部４２は、ケーブル接続部４１および給電ケーブル３１を介して給電装置１０から供給される電力を取得し、充電制御部４３に出力する。充電制御部４３は、バッテリ管理部４４を制御してバッテリ４５に対する充電を実行させる。また、充電制御部４３は、バッテリ４５に対する充電の完了を検知し、その旨を示す充電完了通知を通信部４６に出力する。
【００５９】
バッテリ管理部４４は、例えば複数のセルから構成されるバッテリ４５を効率的に充電する。バッテリ４５は、電気自動車２を走行させるためのモータに対して電力を供給する。
【００６０】
通信部４６は、例えば車体ＩＤ保持部４７から車体ＩＤを取得し、取得した車体ＩＤを示す情報を、給電ケーブル３１を介して給電装置１０に伝送する。また、通信部４６は、充電制御部４３からの充電完了通知を、給電ケーブル３１を介して給電装置１０に伝送する。
【００６１】
なお、電気自動車２は、供給装置１０に対応するための特別な構成は必要ない。したがって、この充電装置４０も図４に示された全てが必須ではなく、例えば、車体ＩＤ保持部４７や通信部４６が省略されていてもよい。
【００６２】
次に、自動車充電システム１の動作のうち、主に給電装置１０による給電処理について、図５を参照して説明する。
【００６３】
この給電処理は、例えば、利用者が電気自動車２を給電スペースＰに駐車し、給電装置１０のＵＩ部１２に設けられている給電開始ボタンなどを押下することに応じて開始される。あるいは、給電装置１０が対応する給電スペースＰに電気自動車２が駐車されたことを検知するようにし、電気自動車２の駐車が検知されたことに応じて開始するようにしてもよい。
【００６４】
ステップＳ１において、ＩＣカード読み取り部１３は、制御部１１からの制御に従い、利用者が提示するＩＣカードから利用者ＩＤを読み出して通信部１５に出力する。通信部１５は、制御部１１からの制御に従い、ＩＣカード読み取り部１３からの利用者ＩＤを暗号化し、認証要求とともに管理装置２０に送信する。
【００６５】
この認証要求に応じて、管理装置２０の認証部２２は、給電装置１０から送信された利用者ＩＤを居住者データベース２３に照会することにより、当該利用者ＩＤが正規のものであるか否かを判定し、この判定結果（認証結果）を通信部２１に出力する。通信部２１は、認証部２２から入力される認証結果を給電装置１０に送信する。
【００６６】
ステップＳ２において、制御部１１は、管理装置２０からの認証結果が正規の利用者ＩＤであることを示している場合、給電を開始するために処理をステップＳ３に進める。
【００６７】
ステップＳ３において、制御部１１は、給電制限を解除する。具体的には、コネクタ遮蔽部１８を制御して、利用者が給電ケーブル３１のプラグ３２を給電プラグコネクタ１７に挿着できるよう給電プラグコネクタ１７を覆う蓋を開放させる。この開放に応じ、利用者は給電ケーブル３１のプラグ３２を給電プラグコネクタ１７に挿着することにより、電気自動車２を給電ケーブル３１を介して給電装置１０に接続する。
【００６８】
ステップＳ４において、電力供給部１６は、制御部１１からの制御に従い、給電ケーブル３１を介する電気自動車２への電力供給を開始する。ここで、制御部１１は、コネクタ遮蔽部１８を制御して、給電ケーブル３１のプラグ３２が給電プラグコネクタ１７に挿着された状態で給電プラグコネクタ１７を覆う蓋を閉鎖させるようにしてもよい。これにより、給電ケーブル３１のプラグ３２を抜き取るいたずらや、不正に充電しようとする給電ケーブル３１に差し替えを抑止することができる。
【００６９】
ステップＳ５において、電力供給部１６は、供給した電力量（給電量）、電流値などを測定する。また、ステップＳ５において、電気自動車２から車体ＩＤを取得するようにしてもよい。ここで取得された車体ＩＤは、同一の利用者ＩＤを用いて充電された複数の電気自動車２のそれぞれに対する利用情報を区別して居住者データベース２３に記憶する場合などに利用できる。
【００７０】
ステップＳ６において、制御部１１は、車体情報取得部１９からの充電完了通知の有無に基づき、電気自動車２のバッテリ４５の充電が完了したか否かを判定し、充電完了と判定するまで、処理はステップＳ５に戻される。なお、この判定に車体情報取得部１９からの充電完了通知を用いず、電力供給部１６における電流値に基づいて充電完了を判定してもよい。
【００７１】
そして、ステップＳ６において、充電完了と判定された場合、処理はステップＳ７に進められる。ステップＳ７において、電力供給部１６は、制御部１１からの制御に従い、給電ケーブル３１を介する電気自動車２への電力供給を終了し、測定した給電量を制御部１１に通知する。制御部１１は、給電日時および給電量を含む利用情報を生成し、利用者ＩＤとともに暗号化して通信部１５に出力し、管理装置２０に送信させる。以上で、給電処理は終了される。
【００７２】
なお、ステップＳ２において、管理装置２０からの認証結果が正規の利用者ＩＤであることを示していない場合、処理はステップＳ８に進められ、ＵＩ部１２が、利用者に対して給電できない旨を通知する。そして、この給電処理は終了される。
【００７３】
以上説明した給電処理によれば、正規利用者に対してだけ給電装置１０を利用させることができる。また、給電装置１０を利用したことを示す利用情報を管理装置２０に保持することができる。
【００７４】
なお、本実施の形態は、様々な変形例が考えられる。
【００７５】
利用者の認証について
例えば、利用者ＩＤに利用者の顔の画像データ（あるいは指紋などの生体識別情報）を対応付けて記憶しておいてもよい。これを利用し、例えば、居住者データベース２３において、ＩＣカードを提示して充電を行った回数が所定の回数を超えた場合、ＩＣカードを提示しなくても、利用者の顔認証のみで充電可能とするようにしてもよい。これにより、ＩＣカードの提示という面倒な作業を利用者に省略させることができる。
【００７６】
また、ＩＣカードが提示さえたときに利用者の顔を撮影するようにし、予め登録されている顔の画像データと同一人物であると確認できない場合、ＩＣカードの利用者ＩＤが正規のものであっても給電を許可しないようにしてもよい。これにより、例えば落としてしまったＩＣカードが不正に利用されることを防止することができる。
【００７７】
さらに、利用者ＩＤに自動車の車体ＩＤやナンバプレートの画像データを対応付けて記憶しておいてもよい。これを利用することにより、上述した利用者の顔の画像データを利用する場合と同様に、ＩＣカードの提示を省略したり、不正に取得されたＩＣカードの利用を防止することができる。
【００７８】
給電装置１０の利用について
例えば、居住者が自己に付与されているＩＣカードを用いることにより、自宅住戸への来客の電気自動車に対して充電ができるようにしてもよい。この場合、居住者に対して給電に対する課金が行われるが、来客に課金するための支払い方法に関する情報を入力して、来客に対して課金するようにしてもよい。
【００７９】
利用者への情報提供について
例えば、充電の進行状況、給電スペースの空き状況、駐車している電気自動車２の画像、充電毎の課金額などを利用者の住戸に設置された端末装置、パーソナルコンピュータ、携帯電話などを用いて確認できるようにしてもよい。
【００８０】
給電スペースＰおよび給電装置１０の設備について
給電スペースＰおよび給電装置１０の利用予約ができるようにし、予約した車以外が利用できないようにゲートなどを設けてもよい。また、給電ケーブル３１が接続されている状態で電気自動車２が走行しないように、充電状況に応じて動作する車止めを設けてもよい。
【００８１】
給電については、給電ケーブル３１を介することなく、例えば磁力を用いた無線式給電としてもよい。
【００８２】
また、通常よりも短時間で充電を終えることができる急速充電ができるようにしてもよい。その場合、通常の充電と急速充電との課金額を変えるようにしてもよい。
【００８３】
また、コネクタ遮蔽部１８による給電ケーブル３１の抜き取り防止策の他、給電ケーブル３１の振動を検知して警報を出力するようにしてもよい。
【００８４】
さらに、給電装置１０に、給電ケーブル３１の収納庫を設け、充電開始時に給電ケーブル３１を自動的に電気自動車２に接続し、充電終了時に給電ケーブル３１を自動的に収納するようにしてもよい。
【００８５】
給電スペースＰおよび給電装置１０が図１のように複数存在する場合、合計の電力使用量が所定の閾値を超えないように、複数の給電装置１０間で充電タイミングを制御するようにしてもよい。
【００８６】
さらに、電気自動車２以外（例えば、電動アシスト自転車、電動バイクなど）に充電できたり、マンション管理に関わる電気機器（防犯装置、録画装置など）にＡＣ電源を供給できるようにしてもよい。
【００８７】
本明細書において、システムとは、複数の装置により構成される装置全体を表すものである。
【００８８】
なお、本発明の実施の形態は、上述した実施の形態に限定されるものではなく、本発明の要旨を逸脱しない範囲において種々の変更が可能である。
【符号の説明】
【００８９】
１  自動車充電システム
２  電気自動車
１０  給電装置
１１  制御部
１２  ＵＩ部
１３  ＩＣカード読み取り部
１４  撮像部
１５  通信部
１６  電力供給部
１７  給電プラグコネクタ
１８  コネクタ遮蔽部
１９  車体情報取得部
２０  管理装置
２１  通信部
２２  認証部
２３  居住者ＤＢ
３１  給電ケーブル
３２  プラグ
４０  充電装置
４１  ケーブル接続部
４２  電力取得部
４３  充電制御部
４４  バッテリ管理部
４５  バッテリ
４６  通信部
４７  車体ＩＤ保持部
【図１】
2010213497.tif 000003
【図２】
2010213497.tif 000004
【図３】
2010213497.tif 000005
【図４】
2010213497.tif 000006
【図５】
2010213497.tif 000007